(57)【要約】【課題】施錠時における障子の適正な位置に対する遊びを有しつつも、クレセント錠の回動に対する規制を解除して施錠可能な建具を提供する。【解決手段】障子と開口を形成する開口形成部材とが見込み方向に対向する召合せ部において障子と開口形成部材とのいずれか一方に回動可能に設けられた係合部と、係合部の回動を規制する回動規制部と、を有するクレセント錠、及び、障子と開口形成部材との他方に設けられ、回動されたクレセント錠の係合部と係合して障子の見付け方向への移動を規制して施錠する施錠部と、クレセント錠の回動規制部が当接して回動の規制を解除してクレセント錠の回動を許容する規制解除部と、施錠操作の開始時に回動規制部が規制解除部に当接しない位置に配置された障子を、係合部と係合して、回動規制部が規制解除部に当接する位置に移動させる位置補正部と、を有するクレセント受け、を備える。【選択図】図７
2013160025.tif 000002
【特許請求の範囲】
【請求項１】
見付け方向に移動し開口を閉止可能に設けられた障子を施錠する施錠機構であって、
前記障子と前記開口を形成する開口形成部材とが見込み方向に対向する召合せ部において前記障子と前記開口形成部材とのいずれか一方に回動可能に設けられた係合部と、
前記係合部の回動を規制する回動規制部と、
を有するクレセント錠、及び、
前記障子と前記開口形成部材との他方に設けられ、回動された前記クレセント錠の前記係合部と係合して前記障子の見付け方向への移動を規制して施錠する施錠部と、
回動された前記クレセント錠の前記回動規制部が当接して前記回動の規制を解除して前記クレセント錠の回動を許容する規制解除部と、
施錠操作の開始時に前記回動規制部が前記規制解除部に当接しない位置に配置された前記障子を、回動される前記係合部と係合して、前記回動規制部が前記規制解除部に当接する位置に移動させる位置補正部と、
を有するクレセント受け、
を備えることを特徴とする施錠機構。
【請求項２】
請求項１に記載の施錠機構であって、
前記位置補正部は、見付け方向において前記施錠部側に突出して湾曲しており、
前記クレセント錠が、見付け方向に沿う回動軸を中心に回動して前記係合部が湾曲する前記位置補正部に係合することにより、前記障子が見付け方向に移動されて、前記回動規制部が前記規制解除部と当接可能となることを特徴とする施錠機構。
【請求項３】
請求項１または請求項２に記載の施錠機構であって、
前記施錠部と、前記規制解除部とは、同一の部位であることを特徴とする施錠機構。
【請求項４】
請求項１乃至請求項３のいずれかに記載の施錠機構であって、
前記施錠部は、前記係合部と係合して、前記障子を戸先側に移動可能であり、
前記施錠部と前記係合部とが係合することにより、
前記開口形成部材により戸先方向への移動が規制された前記障子の召合せ方向への移動を規制することを特徴とする施錠機構。
【請求項５】
請求項１乃至請求項４のいずれかに記載の施錠機構であって、
前記開口形成部材は、前記障子が移動可能に設けられた枠体と、前記枠体に設けられ前記障子と引き違いとなる障子の召合せ框と、であることを特徴とする施錠機構。
【請求項６】
請求項１乃至請求項４のいずれかに記載の施錠機構であって、
前記開口形成部材は、前記障子が移動可能に設けられた枠体であることを特徴とする施錠機構。
【請求項７】
請求項１乃至請求項４のいずれかに記載の施錠機構と、
前記障子と、
前記障子が見付け方向に移動可能に設けられる枠体と、
を備えたことを特徴とする建具。
【発明の詳細な説明】
【技術分野】
【０００１】
本発明は、見付け方向に移動し開口を閉止可能に設けられた障子を施錠する施錠機構及び建具に関する。
【背景技術】
【０００２】
見付け方向に移動し開口を閉止可能に設けられた障子を施錠する施錠機構及び建具として、例えば、引き違いタイプの建具が備える内障子及び外障子が正常閉鎖位置にあるとき以外にはクレセント錠のハンドルが施錠方向に回動しないクレセント錠及び建具が知られている。このクレセント錠及び建具は、外障子の召合せ框にクレセント受けが設けられ、内障子の召合せ框にクレセント受けと係合する掛け部を有するクレセント錠、及び、クレセント錠のハンドルの施錠方向への所定角度以上の回動を阻止する回動阻止機構が設けられている。この回動阻止機構は、内障子と外障子とが正常閉鎖位置にある時に、ハンドルの回動によりクレセント受けに当接する反力で回動阻止機構を解錠する解錠機構を備え、クレセント錠の空掛けを防止するように構成されている（例えば、特許文献１参照）。
【先行技術文献】
【特許文献】
【０００３】
【特許文献１】特開２００５−２３２９６４号公報
【発明の概要】
【発明が解決しようとする課題】
【０００４】
上記のような建具は、内障子の戸先框と外障子の戸先框を、各々縦枠に当接させて密閉することが望ましい。しかしながら、内障子の戸先框と外障子の戸先框が各々確実に縦枠に当接される位置のみで回動阻止機構が解除されるようにすると、障子及び枠などに高い寸法精度が要求されるとともに建具を施工する際の調整が煩雑になる。一方、障子及び枠などに高い寸法精度が必要ないように内障子と外障子の正常閉鎖位置に遊びを設けてしまうと、障子の密閉性が低下するばかりでなく、回動阻止機構がクレセント受けに当接されず施錠できなくなってしまうという課題がある。
【０００５】
本発明は、かかる課題に鑑みてなされたものであり、その目的とするところは、施錠時における障子の適正な位置に対する遊びを有しつつも、クレセント錠の回動に対する規制を解除して施錠可能な施錠機構及び建具を提供することにある。
【課題を解決するための手段】
【０００６】
かかる目的を達成するために本発明の施錠機構は、見付け方向に移動し開口を閉止可能に設けられた障子を施錠する施錠機構であって、前記障子と前記開口を形成する開口形成部材とが見込み方向に対向する召合せ部において前記障子と前記開口形成部材とのいずれか一方に回動可能に設けられた係合部と、前記係合部の回動を規制する回動規制部と、を有するクレセント錠、及び、前記障子と前記開口形成部材との他方に設けられ、回動された前記クレセント錠の前記係合部と係合して前記障子の見付け方向への移動を規制して施錠する施錠部と、回動された前記クレセント錠の前記回動規制部が当接して前記回動の規制を解除して前記クレセント錠の回動を許容する規制解除部と、施錠操作の開始時に前記回動規制部が前記規制解除部に当接しない位置に配置された前記障子を、回動される前記係合部と係合して、前記回動規制部が前記規制解除部に当接する位置に移動させる位置補正部と、を有するクレセント受け、を備えることを特徴とする施錠機構である。
【０００７】
このような施錠機構によれば、クレセント受けが、回動される係合部と係合して、回動規制部が規制解除部に当接する位置に障子を移動させる位置補正部を有しているので、施錠操作の開始時に回動規制部が規制解除部に係合しない位置に障子が位置していても、クレセント錠を回動することにより、回動規制部が規制解除部に当接する位置に障子を移動させることが可能である。すなわち、施錠操作の開始時においては回動規制部が規制解除部に当接しない位置であっても、クレセント錠を回動することにより回動規制部を規制解除部に当接させて施錠することが可能となる、所謂遊びが設けられるので、施工時における位置調整が簡単な、施工性に優れた施錠機構を提供することが可能である。このため、施錠時における障子の適正な位置に対する遊びを有しつつも、クレセント錠の回動に対する規制を解除して施錠可能な施錠機構を提供することが可能である。
【０００８】
かかる施錠機構であって、前記位置補正部は、見付け方向において前記施錠部側に突出して湾曲しており、前記クレセント錠が、見付け方向に沿う回動軸を中心に回動して前記係合部が湾曲する前記位置補正部に係合することにより、前記障子が見付け方向に移動されて、前記回動規制部が前記規制解除部と当接可能となることが望ましい。  
このような施錠機構によれば、クレセント錠が回動して、湾曲する位置補正部に係合部が係合することにより、クレセント錠とともに障子が見付け方向に移動するので、クレセント受けに見付け方向において施錠部側に突出して湾曲する位置補正部を設けるだけで、障子と開口形成部材とのいずれか一方に設けられたクレセント錠と障子と開口形成部材との他方に設けられたクレセント受けとの位置を補正することが可能である。  
また、湾曲する位置補正部に係合部が係合して障子が見付け方向に移動する距離が施錠時における障子の適正な位置に対する遊びとなるので、見付け方向に突出する位置補正部が湾曲する大きさを変えることにより遊びの大きさを調整することが可能である。
【０００９】
かかる施錠機構であって、前記施錠部と、前記規制解除部とは、同一の部位であることが望ましい。  
このような施錠機構によれば、施錠部と規制解除部とを同一部位としたので、施錠部と規制解除部を備えるクレセント受けの形状を簡単な形状とすることが可能である。
【００１０】
かかる施錠機構であって、前記施錠部は、前記係合部と係合して、前記障子を戸先側に移動可能であり、前記施錠部と前記係合部とが係合することにより、前記開口形成部材により戸先方向への移動が規制された前記障子の召合せ方向への移動を規制することが望ましい。  
このような施錠機構によれば、係合部が回動して、施錠部と係合部とが係合することにより、枠体により戸先方向への移動が規制された障子の召合せ方向への移動が規制される。このため、施錠時に適切でない位置にある障子をより密閉する方向に移動させて施錠することが可能である。
【００１１】
かかる施錠機構であって、前記開口形成部材は、前記障子が移動可能に設けられた枠体と、前記枠体に設けられ前記障子と引き違いとなる障子の召合せ框と、であることが望ましい。  
このような施錠機構によれば、引き違いタイプの建具の内障子と外障子とが、施錠時における適正な位置に対する遊びを有しつつも、クレセント錠の回動に対する規制を解除して施錠することが可能である。
【００１２】
かかる施錠機構であって、前記開口形成部材は、前記障子が移動可能に設けられた枠体であることが望ましい。  
このような施錠機構によれば、枠体にて形成された開口を閉塞可能な障子を備えた、例えば片引きタイプの建具の障子が、施錠時における適正な位置に対する遊びを有しつつも、クレセント錠の回動に対する規制を解除して施錠することが可能である。
【００１３】
また、前記施錠機構と、前記障子と、前記障子が見付け方向に移動可能に設けられる枠体と、を備えたことを特徴とする建具である。  
このような建具によれば、クレセント受けが、回動される係合部と係合して、回動規制部が規制解除部に当接する位置に障子を移動させる位置補正部を有しているので、施錠操作の開始時に回動規制部が規制解除部に係合しない位置に障子が位置していても、クレセント錠を回動することにより、回動規制部が規制解除部に当接する位置に障子を移動させることが可能である。すなわち、施錠操作の開始時においては回動規制部が規制解除部に当接しない位置であっても、クレセント錠を回動することにより回動規制部を規制解除部に当接させて施錠することが可能となる、所謂遊びが設けられるので、施工時における位置調整が簡単な、施工性に優れた建具を提供することが可能である。このため、施錠時における障子の適正な位置に対する遊びを有しつつも、クレセント錠の回動に対する規制を解除して施錠可能な建具を提供することが可能である。
【発明の効果】
【００１４】
本発明によれば、施錠時における障子の適正な位置に遊びを有しつつも、クレセント錠の回動に対する規制を解除して施錠可能な施錠機構及び建具を提供することが可能である。
【図面の簡単な説明】
【００１５】
【図１】本実施形態に係る建具を室内側から見た正面図である。
【図２】クレセント錠を示す分解斜視面図である。
【図３】図３（ａ）は、クレセント受けを室内側から見た正面図、図３（ｂ）は、クレセント受けを外障子の戸先側から見た側面図、図３（ｃ）は、図３（ａ）の平面図である。
【図４】図４（ａ）は、解錠状態のクレセント錠を示す図、図４（ｂ）は、回動規制機構により回動が規制された状態のクレセント錠を示す図である。
【図５】施錠できない状態のクレセント錠とクレセント受けを示す平面図である。
【図６】施錠可能な状態のクレセント錠とクレセント受けを示す平面図である。
【図７】図７（ａ）は、解錠状態の施錠機構を示す図、図７（ｂ）は、クレセント錠の回動により作用片が係合受け部と接触した状態の施錠機構を示す図、図７（ｃ）は、クレセント錠の回動により回動規制機構が解除された状態の施錠機構を示す図、図７（ｄ）は、施錠状態の施錠機構を示す図である。
【図８】図８（ａ）は、施錠操作の開始時におけるクレセント錠と施錠部及び規制解除部が一体となったクレセント受けとの位置を示す図、図８（ｂ）は、ガイド部により案内された後のクレセント錠とクレセント受けとの位置を示す図である。
【図９】図９（ａ）は、施錠操作の開始時におけるクレセント錠と施錠部及び規制解除部が別体となったクレセント受けとの位置を示す図、図９（ｂ）は、ガイド部により案内された後のクレセント錠とクレセント受けとの位置を示す図である。
【発明を実施するための形態】
【００１６】
以下、本発明の一実施形態に係る建具について図面を参照して説明する。  
本実施形態では、建具として図１に示すように、躯体に設けられて開口をなす枠体２と、見付け方向に移動可能に枠体に設けられた内障子３及び外障子４と、を備えた引き違いタイプの建具１を例に挙げて説明する。
【００１７】
以下の説明においては、建物等に取り付けられた状態の建具１を室内側から見たときに、枠体２、内障子３及び外障子４の上下となる方向を上下方向、左右となる方向を左右方向または見付け方向、室内外方向である奥行き方向を見込み方向として示す。また、枠体２、内障子３及び外障子４を構成する部材は、単体の状態であっても建具１が建物等に取り付けられた状態で上下方向、見付け方向、見込み方向等となる方向にて方向を特定して説明する。
【００１８】
枠体２は、建物の躯体(不図示)に固定されて矩形状をなすように、上下の横枠２ａ、２ｂと左右の縦枠２ｃ、２ｄとを有する四方枠である。内障子３及び外障子４ は、上框３ａ、４ａ、下框３ｂ、４ｂ、召合せ框３ｃ、４ｃ、及び、戸先框３ｄ、４ｄにより矩形状に組み立てられた框体３ｅ、４ｅの内側にガラスが嵌め込まれて構成されている。
【００１９】
また、建具１は、内障子３及び外障子４の閉止状態にて施錠する施錠機構としてのクレセント施錠機構１０を有している。クレセント施錠機構１０は、内障子３の召合せ框３ｃに回動自在に設けられたクレセント錠１１と、外障子４の召合せ框４ｃに設けられクレセント錠１１と係合するクレセント受け２０（図５）とを有している。また、本クレセント錠１１は、内障子３と外障子４との見付け方向における相対位置が、不適切な場合にクレセント錠１１の回動を規制する回動規制機構３０（図２）を備えている。本実施形態において見付け方向に移動し開口を閉止可能に設けられた障子は、内障子または外障子に相当する。そして、内障子により閉止可能な開口は、上下の横枠２ａ、２ｂ、右の縦枠２ｄ、及び、外障子４の召合せ框４ｃにて形成され、この開口を形成し内障子３の召合せ部に位置する召合せ框３ｃと見込み方向に対向する開口形成部材は、外障子４の召合せ框４ｃに相当する。また、外障子により閉止可能な開口は、上下の横枠２ａ、２ｂ、左の縦枠２ｃ、及び、内障子３の召合せ框３ｃにて形成され、この開口を形成し外障子４の召合せ部に位置する召合せ框４ｃと見込み方向に対向する開口形成部材は、内障子３の召合せ框３ｃに相当する。
【００２０】
クレセント錠１１は、図２に示すように、使用者が操作するためのハンドル１２と、ハンドル１２の操作により回動する三日月型の係合部としてのクレセント本体１３と、クレセント本体１３に回動自在に設けられ回動規制機構３０を構成し回動規制部をなす揺動部材１４と、揺動部材１４を所定の方向に付勢する付勢部材としての捻りばね１５と、内障子３の召合せ框３ｃに取り付けられハンドル１２及びクレセント本体１３の回動軸を支持する台座１６と、を有している。
【００２１】
ハンドル１２には、見付け方向に沿って台座１６側に突出し、台座１６に支持される回動軸１２ａが設けられており、回動軸１２ａには、円周方向における所定の位置に外方に向かって突出されたキー１２ｂが設けられている。
【００２２】
クレセント本体１３は、ハンドル１２に設けられた回動軸１２ａが貫通されるとともにキー１２ｂが係合する部位を有する係合孔１３ａ及び揺動部材１４を回動自在に支持するピン(不図示)が嵌合される軸孔１３ｂが設けられた回動板部１３ｃと、回動板部１３ｃにおいて回動軸１２ａを中心とする円弧状をなす縁からほぼ直角をなすように延設された錠壁部１３ｄと、を有している。クレセント本体１３は、ハンドル１２の操作により回動軸１２ａを中心に回動すると、回動板部１３ｃの円弧状をなす部位の先端１３ｅが室外側に移動していく。このとき、回動板部１３ｃと一体をなす錠壁部１３ｄは、移動方向において先端１３ｅが狭く形成されており、錠壁部１３ｄの移動方向における後端側のほぼ半分をなす後半部分１３ｆは、一定の幅を有しており、先端１３ｅと、後半部分１３ｆとの間は、後半部分に向かって幅が広くなるような傾斜１３ｇをなしている。
【００２３】
揺動部材１４は、揺動軸をなすピン(不図示)が挿通される挿通孔１４ａと、挿通孔１４ａを中心に両側、すなわち相反する方向に延びた２本の腕部１４ｂと、一方の腕部１４ｂの先端に設けられた作用片１４ｃと、他方の腕部１４ｂの先端に設けられた規制片１４ｄとを有している。
【００２４】
捻りばね１５は、コイル部分に揺動部材１４を貫通してハンドル１２側に突出しているピンが挿通され、回動軸１２ａと作用片１４ｃ側の腕部１４ｂとの間で圧縮されて、作用片１４ｃを回動軸１２ａの回動中心から離れる方向、すなわち外方に向かって付勢している。
【００２５】
台座１６は、内障子３の召合せ框３ｃにおける内障子３の外周側に取り付けられ、クレセント本体１３の回動軸１２ａを支持する軸支持孔１６ａと、キー１２ｂが収容されてキー１２ｂの回動を規制することによりハンドル１２の回動を規制する規制孔１６ｂと、捻りばね１５に付勢されている揺動部材１４の規制片１４ｄと係合してハンドル１２の回動を規制する規制部１６ｃとを有している。
【００２６】
クレセント受け２０は、図３に示すように、ほぼ長方形状をなし、ほぼプレート状の部材であり、長手方向における一方の端部側が外障子４の戸先側に突出されて、他方の端部側が外障子４の召合せ框４ｃの内障子３側の面に取り付けられている。
【００２７】
クレセント受け２０の戸先側に突出した部位には、クレセント錠１１のハンドル１２の回動に伴って回動しつつ室外側に突出するクレセント本体１３の錠壁部１３ｄがクレセント受け２０の外障子４側に回り込むための開口２０ａが設けられている。
【００２８】
開口２０ａにおける外障子４の戸先側の部位は、召合せ框４ｃの内障子３側の面より室外側に段曲げされており、段曲げされた部位において開口２０ａの縁部をなす部位が室内側に曲げ起こされている。この曲げ起こされた部位は、上下方向における中央部が、外障子４の召合せ側に最も突出するように湾曲する曲面Ｒ１をなしており、ハンドル１２の回動に伴って回り込んだ錠壁部１３ｄの縁と係合して内障子３と外障子４とを引き分ける引分片２０ｃをなしている。
【００２９】
引分片２０ｃの上下方向における中央部近傍の部位は、さらに外障子４の召合せ側に折り曲げられ、ハンドル１２の回動に伴って回り込んだ錠壁部１３ｄと係合する施錠部をなすとともに、揺動部材１４の作用片１４ｃとも係合する規制解除部としての係合受け部２０ｂをなしている。係合受け部２０ｂは、回り込んだ錠壁部１３ｄと係合するため、上下方向の中央部が最も室外側に位置するように湾曲する曲面Ｒ２をなしている。
【００３０】
開口２０ａにおける外障子４の召合せ側の部位は、上下方向における中央部近傍の部位が、クレセント受け２０の室内側の面より、板厚程度室内側に突出するように段曲げされており、段曲げされた部位において開口２０ａの縁は、上下方向の中央部が最も外障子４の戸先側に位置するように湾曲している。この湾曲する部位が、ハンドル１２の回動に伴って回動する錠壁部１３ｄの見付け方向における所定位置に案内する位置補正部としてのガイド部２０ｄをなしている。すなわち、係合受け部２０ｂとガイド部２０ｄとは、開口２０ａの上下方向における中央にて、開口２０ａの内側に向かって互いに対向する方向に突出させて形成されている。
【００３１】
クレセント錠１１は、規制孔１６ｂとキー１２ｂとによりハンドル１２が、回動軸１２ａの下方にて内障子３の召合せ框３ｃに沿う状態（解除状態）から、回動軸１２ａの上方にて内障子３の召合せ框３ｃに沿う状態（施錠状態）まで約１８０度回動するように構成されている。
【００３２】
また、内障子３と外障子４とを閉じた状態にて施錠可能な場合には、クレセント錠１１のハンドル１２を施錠方向に回動していくと、見込み方向において内障子３側から外障子側に突出していくクレセント本体１３が開口２０ａ内を通ってクレセント受け２０の室外側に突出しつつ回り込むような、見付け方向の位置に配置される。
【００３３】
解錠状態においては、図４（ａ）に示すように、クレセント本体１３は見込み方向において、内障子３の召合せ框３ｃの室外側の面より室内側に位置しており、また、捻りばね１５により外方側に付勢されている揺動部材１４の作用片１４ｃも内障子３の召合せ框３ｃの室外側の面より室内側に位置している。
【００３４】
そして、図５に示すように、内障子３と外障子４とが開いた状態、すなわち、施錠には不適切な状態にて、上記解錠状態のクレセント錠１１のハンドル１２を施錠状態に移動させようとすると、クレセント錠１１は回動し始めるが、揺動部材１４の作用片１４ｃが当接される係合受け部２０ｂが、作用片１４ｃの軌道上に存在しないため、図４（ｂ）に示すように、揺動部材１４の規制片１４ｄが、台座１６の規制部１６ｃと係合してクレセント錠１１の回動が規制される。すなわち、施錠には不適切な状態では、クレセント錠１１が所定角度より回動しないように構成されている。
【００３５】
次に、図６に示すように、内障子３と外障子４とを閉じた状態にて、図７（ａ）に示すような解錠状態からハンドル１２を施錠状態に移動させると、図７（ｂ）に示すように、まず、揺動部材１４の作用片１４ｃがクレセント受け２０の係合受け部２０ｂに当接する。更にハンドル１２を回し続けると、図７（ｃ）に示すように、係合受け部２０ｂに作用片１４ｃが押圧されることにより、揺動部材１４が捻りばね１５を圧縮しつつ回動軸１２ａ側に移動する。作用片１４ｃの移動により、作用片１４ｃと挿通孔１４ａを介して反対側に設けられている規制片１４ｄが回動軸１２ａから離れる方向に移動する。このため、ハンドル１２を回動し続けても規制片１４ｄは規制部１６ｃと係合しないので、図７（ｄ）に示すように、クレセント本体１３の錠壁部１３ｄが係合受け部２０ｂの室外側に回り込むと共に、係合受け部２０ｂを室内側に引き寄せて、ハンドル１２が上方にて召合せ框３ｃに沿う状態となって施錠される。図７（ａ）〜図７（ｄ）ではハンドル１２の一部を破断し、図７（ａ）、図７（ｂ）、図７（ｄ）では、捻りばね１５を省略している。
【００３６】
クレセント錠１１は、クレセント本体１３の錠壁部１３ｄと係合受け部２０ｂとが係合するときには、内障子３と外障子４とを各々の戸先側へ互いに付勢して、縦枠２ｃ、２ｄと戸先框３ｄ、４ｄとの隙間をなくし確実に閉止するように機能する。このため、施錠した後には、内障子３は、外障子の４の戸先側に、外障子４は内障子３の戸先側に移動しないこと、所謂ガタつきが生じないように、施錠後のクレセント本体１３における錠壁部１３ｄの後半部分１３ｆの縁１３ｉ（図２）が、引分片２０ｃの、見付け方向に最も突出している部位（先端）２０ｅ（図３ａ）に当接するように設定されている。
【００３７】
しかしながら、施錠する際に、内障子３と外障子４との位置を正確に位置合わせしないと施錠できないのでは、操作性が悪く、また、枠体２や障子３、４などに高い寸法精度が要求されるばかりでなく及び建具を設置した後における各々の部材の位置調整が煩雑である。また、このような建具をリフォームに用いる場合には、既存の建物の取り付け開口の採寸にも高い精度が要求される。このため、本建具１では、内障子と３と外障子４の位置の施錠位置とのずれを許容する範囲が設けられている。
【００３８】
具体的には、ハンドル１２を操作してクレセント本体１３が回動するときに、まず、錠壁部１３ｄの先端１３ｅがクレセント受け２０の開口２０ａに進入し易いように、図８に示すように、錠壁部１３ｄの先端１３ｅの、見付け方向の幅ａは、開口２０ａの見付け方向の幅Ａより狭く形成されている。
【００３９】
また、クレセント本体１３における錠壁部１３ｄの後半部分１３ｆは、引分片２０ｃとガイド部２０ｄとの間に配置されるので、引分片２０ｃの先端２０ｅと、ガイド部２０ｄの、見付け方向に最も突出している部位(先端)２０ｆとの間隔Ｂは、錠壁部１３ｄの後半部分１３ｆ見付け方向の幅ｂと同等か、または、僅かに広く形成されている。
【００４０】
また、引分片２０ｃ及びガイド部２０ｄはそれぞれ開口２０ａの中央側に膨らむように湾曲した形状をなしている。このため、施錠すべくハンドル１２を操作したときに、回動したクレセント本体１３の錠壁部１３ｄが引分片２０ｃの湾曲面Ｒ１に係合すると、クレセント本体１３の傾斜１３ｇが引分片２０ｃの湾曲面Ｒ１に沿って摺動することにより内障子３と外障子４とが互いに戸先側に移動されて、クレセント本体１３が引分片２０ｃの先端２０ｅとガイド部２０ｄの先端２０ｆとの間に案内される。
【００４１】
また、施錠すべくハンドル１２を操作したときに、回動したクレセント本体１３の回動板部１３ｃが湾曲したガイド部２０ｄに係合すると、クレセント本体１３の回動板部１３ｃがガイド部２０ｄに沿って摺動することにより、クレセント本体１３が引分片２０ｃの先端２０ｅとガイド部２０ｄの先端２０ｆとの間に案内される。
【００４２】
特に、本実施形態のクレセント錠１１は、回動規制機構３０を備えており、内障子と３と外障子４の位置の施錠位置とのずれにより、回動規制機構３０を構成する揺動部材１４の作用片１４ｃが係合受け部２０ｂに当接しない場合には、ハンドル１２及びクレセント本体１３が回動せず、施錠することができない。このため、図８（ａ）、図８（ｂ）に示すように、施錠すべくハンドル１２を操作したときに、回動したクレセント本体１３の回動板部１３ｃがガイド部２０ｄに係合すると、クレセント本体１３が回動しつつガイド部２０ｄに案内されて、外障子４の戸先框４ｄ側に移動される。尚、図８（ａ）、図８（ｂ）では、施錠操作の開始時またはガイド部により案内された後における、クレセント本体１３が係合受け部２０ｂに接触する位置を、クレセント受け２０を室内側から見た図にて示し、このクレセント受け２０の図の上に、クレセント錠１１とクレセント受け２０との位置を示す平面図、左側にクレセント錠１１とクレセント受け２０との位置を示す側面図を示している。
【００４３】
ガイド部２０ｄにより案内されてクレセント本体１３が移動した位置は、クレセント錠１１が備える揺動部材１４の作用片１４ｃが係合受け部２０ｂに当接する位置となるように構成されている。すなわち、回動板部１３ｃの台座１６側の面から揺動部材１４における作用片１４ｃの、外障子４戸先側の縁までの幅ｃは、水平断面における引分片２０ｃとガイド部２０ｄとの間隔Ｃより広く形成されている。このため、施錠すべくハンドル１２を操作したときに、回動したクレセント本体１３の回動板部１３ｃがガイド部２０ｄに案内されると、必ず揺動部材１４が係合受け部２０ｂに当接して、作用片１４ｃ側が回動軸１２ａ側に移動されて規制片１４ｄが回動軸１２ａから離れる方向に移動する。このため、施錠し始める際には、クレセント錠１１が回動しても作用片１４ｃが引分片２０ｃと接触しない位置であったとしても、回動板部１３ｃがガイド部２０ｄに接触する位置であれば、施錠することができるように構成されている。すなわち、本クレセント施錠機構１０は、内障子３と外障子４の位置の施錠位置とのずれが許容される範囲にて施錠すべくハンドル１２を操作したときに、クレセント本体１３がガイド部２０ｄに案内されることにより、揺動部材１４の作用片１４ｃが係合受け部２０ｂの位置までクレセント本体１３が回動する前に、揺動部材１４の作用片１４ｃが係合受け部２０ｂに当接する位置にクレセント本体１３が移動され、揺動部材１４の規制片１４ｄが台座１６の規制部１６ｃと係合する前までに、揺動部材１４の作用片１４ｃが係合受け部２０ｂに当接するように構成されている。
【００４４】
本実施形態の建具１によれば、クレセント受け２０が、回動されるクレセント錠１１のクレセント本体１３と係合して、揺動部材１４が係合受け部２０ｂに係合する位置に内障子３及び外障子４を移動させるガイド部２０ｄを有しているので、施錠操作の開始時に動部材１４の作用片１４ｃが係合受け部２０ｂに当接しない位置に内障子３及び外障子４があっても、クレセント錠１１を回動することにより、揺動部材１４の作用片１４ｃが係合受け部２０ｂに当接する位置に内障子３及び外障子４を移動させることが可能である。すなわち、施錠操作の開始時においては揺動部材１４が係合受け部２０ｂに当接しない位置であっても、クレセント錠１１を回動することにより揺動部材１４を係合受け部２０ｂに当接させて施錠することが可能となる、所謂遊びが設けられる。このため、枠体２及び障子３、４などの仕上がり寸法には高い精度が要求されず、また、建具１を設置する際の各部材の位置調整が容易であり、更に施錠性にも優れたクレセント施錠機構１０及び建具１を提供することが可能である。すなわち、施錠時における内障子３及び外障子４の適正な位置に対する遊びを有しつつも、クレセント錠１１の回動に対する規制を解除して施錠可能なクレセント施錠機構１０及び建具１を提供することが可能である。
【００４５】
また、施錠時における内障子３及び外障子４の適正な位置に対する遊びを有することにより、本建具１をリフォームに使用する場合には、建具１を取り付ける既存建物の開口の採寸寸法に高い精度が要求されないので、リフォーム時における施工も容易である。より具体的には、たとえば、枠体２、内障子３及び外障子４の仕上がり寸法が、公差内において枠体２が大きく、内障子３及び外障子４が小さく形成されていた場合、または、取り付け開口の寸法を実際の寸法より小さくし採寸してしまった場合には、内障子３及び外障子４にて開口２０ａを閉じると、内障子３及び外障子４が、適切な位置より、各々の戸先框が当接される縦枠側に配置されてしまう。このとき、本クレセント施錠機構１０によれば、クレセント錠１１のクレセント本体１３がガイド部２０ｄと係合することにより、揺動部材１４が係合受け部２０ｂに係合する位置に内障子３及び外障子４が移動されるので、施錠時における内障子３及び外障子４の適正な位置に対する遊びを有しつつも確実に施錠することが可能である。このとき、クレセント本体１３がガイド部２０ｄと係合して内障子３及び外障子４が移動されると、内障子３及び外障子４は、戸先框３ｄ、４ｄが縦枠２ｃ、２ｄから離れる方向に移動される。すなわち、内障子３及び外障子４とは、各々の戸先框３ｄ、４ｄと縦枠２ｃ、２ｄとの間に空隙が生じる方向に移動される。このため、内障子３及び外障子４が移動されて生じる空隙を塞ぐようなシール材が戸先框３ｄ、４ｄまたは縦枠２ｃ、２ｄに設けられて密閉性が確保されている。換言すると、戸先框３ｄ、４ｄまたは縦枠２ｃ、２ｄに設けられたシール材にて密閉性が確保されるように、内障子３及び外障子４が移動されて生じる空隙をシール材にて塞ぐことができる範囲内で内障子３及び外障子４が移動されるように設定されている。
【００４６】
また、ガイド部２０ｄは、見付け方向に突出して湾曲しており、クレセント錠１１が見付け方向に沿う回動軸１２ａを中心に回動して、クレセント本体１３が湾曲したガイド部２０ｄに係合することにより、クレセント錠１１とともに内障子３が見付け方向に移動されて、揺動部材１４が係合受け部２０ｂと当接可能となる。このため、クレセント受け２０に見付け方向において係合受け部２０ｂ側に突出して湾曲するガイド部２０ｄを設けるだけで、内障子３のクレセント錠１１と外障子４のクレセント受け２０との位置を補正することが可能である。
【００４７】
また、湾曲するガイド部２０ｄにクレセント本体１３が係合して内障子３が見付け方向に移動する距離が施錠時における内障子３及び外障子４の適正な位置に対する遊びとなるので、見付け方向において係合受け部２０ｂ側に突出するガイド部２０ｄの湾曲する大きさを変えることにより遊びの大きさを調整することが可能である。
【００４８】
また、揺動部材１４の作用片１４ｃと係合してクレセント錠１１の回動規制を解除する係合受け部２０ｂは、錠壁部１３ｄと係合することにより施錠を可能とする施錠部をもなしている。すなわち、施錠部と規制解除部とを単一の係合受け部２０ｂにて構成し、クレセント本体１３と係合する場合には、室外側の部位及び、外障子４の召合せ側の縁にて係合し、揺動部材１４の作用片１４ｃと係合する場合には、室内側の部位に当接している。このため、係合受け部２０ｂは、クレセント本体１３及び作用片１４ｃとの係合の仕方を異ならせただけなので、クレセント受け２０の形状を簡単な形状とすることが可能である。
【００４９】
また、クレセント錠１１が回動して、係合受け部２０ｂとクレセント本体１３とが係合することにより、内障子３と外障子４とが見付け方向において各々戸先側に移動して枠体２により各々の戸先方向への移動が規制されるとともに、係合受け部２０ｂとクレセント本体１３との係合により各々の召合せ方向への移動も規制される。このため、施錠時に適切でない位置にある内障子３及び外障子４をより密閉する方向に移動させて施錠することが可能である。
【００５０】
上記実施形態においては、クレセント錠１１に、回動規制部材を構成する揺動部材１４を設け、クレセント錠１１の回動に伴って、施錠部をなす係合受け部２０ｂに揺動部材１４を当接させて、クレセント錠１１の回動規制を解除する例について説明したが、クレセント施錠機構１０は、これに限るものではない。例えば、図９に示すように、クレセント錠１１を回動自在に支持する台座１６内に設けられ、外障子４側に向かって突出可能に収容されて、クレセント錠１１とともに回動し、回動規制機構３０を構成する突出部材５０が、その突出量を規制されたときにクレセント錠１１の回動が許容され、突出部材５０の突出量を規制されないときにクレセント錠１１の回動が規制されるように構成されたクレセント施錠機構１０であってもよい。この場合には、クレセント受け２１の、施錠位置にて台座１６と対向する部位に、突出部材５０の突出量を規制する突出規制部２２が設けられている。
【００５１】
そして、施錠操作の開始時においては突出部材５０が突出規制部２２に当接しない位置であっても、クレセント錠１１を回動することにより、クレセント本体１３がガイド部２０ｄに係合することにより、クレセント錠１１とともに内障子３が見付け方向に移動されて突出部材５０を突出規制部２２に当接させて施錠することが可能となる。尚、図９（ａ）、図９（ｂ）では、施錠操作の開始時またはガイド部により案内された後における、クレセント本体１３が係合受け部２０ｂに当接する位置を、クレセント受け２１を室内側から見た図にて示し、このクレセント受け２１の図の上に、クレセント錠１１とクレセント受け２１との位置を示す平面図、左側にクレセント錠１１とクレセント受け２１との位置を示す側面図を示している。また、図９（ａ）、図９（ｂ）においては、上記実施形態と同一構成については図中で同符号を付して示し、その説明を省略している。
【００５２】
上記実施形態のおいては、内障子３と外障子４とを有する引き違いタイプの建具１における施錠機構を例に挙げて説明したが、これに限るものではない。たとえば、上下の横枠２ａ、２ｂと左右の縦枠２ｃ、２ｄとが枠組みされた枠体の見付け方向におけるほぼ中央に開口形成部材としての方立が設けられ、方立の見付け方向のおける一方の側に面材が設けられて、他方側に形成された開口を、その方立の見込み方向における室内側又は室外側に設けられて、見付け方向に移動可能な障子にて閉止可能な、所謂片引きタイプの建具であっても構わない。この場合には、障子の召合せ框と方立とのうちの室内側に配置される部材にクレセント錠が設けられ、室外側に設けられる部材にクレセント受けが設けられる。また、片引きタイプの建具は、面材としてガラスが設けられたＦＩＸ窓を備えた形態であっても構わない。また、方立は必ずしも設けられていなくてもよい。例えば、面材やガラスの外周部に枠部が設けられたパネル材が枠体に取り付けられていてもよい。また、見付け方向に移動可能な障子が、枠体に固定されてＦＩＸ窓や壁面が形成されていても良い。この場合には、面材の外周に設けられた枠部や固定される障子の縦框が開口形成部材に相当する。
【００５３】
また、上記実施形態は、本発明の理解を容易にするためのものであり、本発明を限定して解釈するためのものではない。本発明は、その趣旨を逸脱することなく、変更、改良され得ると共に、本発明にはその等価物が含まれることはいうまでもない。
【符号の説明】
【００５４】
１  建具、２  枠体、３  内障子、３ｃ  内障子の召合せ框、４  外障子、
４ｃ  外障子の召合せ框、１１  クレセント錠、１２ａ  回動軸、
１３  クレセント本体、１４  揺動部材、２０  クレセント受け、
２０ｂ  係合受け部、２０ｄ  ガイド部、２１  クレセント受け、２２  突出規制部、
５０  突出部材
【図１】
2013160025.tif 000003
【図２】
2013160025.tif 000004
【図３】
2013160025.tif 000005
【図４】
2013160025.tif 000006
【図５】
2013160025.tif 000007
【図６】
2013160025.tif 000008
【図７】
2013160025.tif 000009
【図８】
2013160025.tif 000010
【図９】
2013160025.tif 000011